(57)【特許請求の範囲】
【請求項１】
少なくとも、複数の芯材と、片面に熱溶着層を有するガスバリア性の外被材と、吸着材とを有し、前記熱溶着層同士が対向する前記外被材の間に前記芯材が２つ以上の独立した真空空間内に位置するように減圧密封され、かつ、前記吸着材が、一箇所以上の芯材部分に配置された真空断熱材であって、前記吸着材が、気体中に含まれる非凝縮性気体を吸着できる気体吸着材と、水分吸着材と、気体難透過性素材からなる容器とからなり、前記容器は内部が通気性を制御可能な仕切りにより少なくとも２つ以上の空間に仕切られており、前記気体吸着材と前記水分吸着材はそれぞれ前記容器の異なる空間に収容されていることを特徴とする真空断熱材。
【請求項２】
前記吸着材が、少なくとも前記外被材の外周部に隣接した芯材部分に配置されたことを特徴とする請求項１に記載の真空断熱材。
【請求項３】
前記気体吸着材が、銅イオン交換されたＺＳＭ−５型ゼオライトからなることを特徴とする請求項１または２に記載の真空断熱材。
【請求項４】
前記芯材が、繊維の配向方向が伝熱方向に対して垂直なガラス繊維の集合体をボード状に成形した成形体であることを特徴とする請求項１から３のいずれか一項に記載の真空断熱材。
【請求項５】
前記吸着材が、遠隔操作により、水分吸着材が収容されている空間を形成している容器を開封する開封手段を備えた請求項１から４のいずれか一項に記載の真空断熱材。
【請求項６】
請求項１から５のいずれか一項に記載の真空断熱材を適用した建築部材。
【発明の詳細な説明】
【技術分野】
【０００１】
本発明は、複数の芯材と吸着材とを外被材内に減圧密封した真空断熱材、および、その真空断熱材を適用した建築部材に関するものである。
【背景技術】
【０００２】
近年、高真空を必要とする工業技術への期待が高まりつつある。例えば、地球温暖化防止の観点から省エネルギーが強く望まれており、家庭用電化製品についても省エネルギー化は緊急の課題となっている。
【０００３】
特に、冷蔵庫、冷凍庫、自動販売機等の保温保冷機器では熱を効率的に利用するという観点から、優れた断熱性能を有する断熱材が求められている。
【０００４】
一般的な断熱材として、グラスウールなどの繊維材やウレタンフォームなどの発泡体が用いられている。しかし、これらの断熱材の断熱性能を向上するためには断熱材の厚さを増す必要があり、断熱材を充填できる空間に制限があって省スペースや空間の有効利用が必要な場合には適用することができない。
【０００５】
そこで、高性能な断熱材として、真空断熱材が提案されている。これは、スペーサーの役割を持つ芯材を、ガスバリア性を有する外被材中に挿入し内部を減圧して封止した断熱体である。
【０００６】
ここで、真空断熱材が、複数の芯材を有する構成であって、かつ各芯材が独立した真空空間内に位置するように芯材の間に熱溶着部が設けられている構成であると、（１）外被材端面から離れた芯材部分は端面からの侵入ガスの影響が小さいために、真空断熱材全体としての経時断熱性能が維持しやすい、（２）一箇所で真空ブレークが生じてもそれが他の芯材部分に与える影響が小さいために断熱性能の悪化を最小限で抑えることができる、（３）芯材および真空断熱材形状の自由度が高く、アプリケーションに応じた形状設計が可能である、など、１枚の芯材を有する真空断熱材に比べて、様々なメリットを有している。このため、幅広い用途への展開が見込める。
【０００７】
一方で、真空断熱材には、外部から水蒸気や空気が侵入することで、真空度が悪化し、真空度の悪化に伴い、断熱性能が悪化してしまうという問題があるために、建物のように、長期に渡って断熱性能が要求される用途への適用は難しかった。
【０００８】
そこで、真空断熱材において真空度の劣化を防止し、長期に渡って優れた断熱性能を維持するために吸着材を適用する技術がある。
【０００９】
吸着材の一例として、低温で窒素を除去するＢａ−Ｌｉ合金がある（例えば、特許文献１参照）。
【００１０】
Ｂａ−Ｌｉ合金は、乾燥材と一緒に、断熱ジャケット内の真空を維持するためのデバイスとして使用され、室温においても窒素などのガスを吸着することができた。
【００１１】
また、真空断熱材を断熱材として使用すると薄型で高い断熱性能が見込めることから、建物へ適用する技術がある（例えば、特許文献２、３参照）。
【００１２】
真空断熱材を建物に適用することで、非常に高い断熱性が得られた。
【特許文献１】特表平９−５１２０８８号公報
【特許文献２】特開２００６−９００７０号公報
【特許文献３】特開２００７−１９８００４号公報
【発明の開示】
【発明が解決しようとする課題】
【００１３】
しかしながら、上記特許文献１の構成では、窒素等活性の低い気体も吸着が可能であるが、ＢａはＰＲＴＲ指定物質であるため、工業的に使用するには環境や人体に対して問題のないものが望まれる。
【００１４】
また、活性化のための熱処理を必要とせず、常温下でも窒素吸着可能であり、数分間は空気雰囲気で取扱い可能、と記載されているが、気体吸着材を用いる製品を工業的に製造する場合、取扱い上、より長い許容時間が望まれる。
【００１５】
また、気体吸着材を、建築部材のように長期に渡って性能を確保しなければならない用途に使用する場合には、できるだけ製造工程での吸着材の失活を抑制し、建築部材として使用される時に気体吸着材が有する特性を十分に発揮する構成であることが望まれる。
【００１６】
また、気体吸着材の水分による劣化を抑制するため、気体吸着材を乾燥材（水分吸着材）で被う構成となっているため、この結果、気体吸着材および気体吸着材の機能保持及び発現を補助する機器（気体吸着デバイス）の厚さは、気体吸着材と水分吸着材の厚さの和より大きくなる。
【００１７】
真空断熱材の特長の一つは他の断熱材に比較してより薄い厚さで断熱性能を得ることができるという点であることから、真空断熱材に上記従来の構成の気体吸着材を適用すると、真空断熱材の厚さの下限は気体吸着デバイスの厚さとなるため、断熱材の薄肉化を妨げてしまう。
【００１８】
上記特許文献２、３の構成は、施工性の向上を目的としたものであり、経時断熱性能の維持という面では詳細な記載がない。しかし、建物は、求められる耐久性が、家電製品が数年から十数年に対して、数十年と非常に長く、真空断熱材を構成する材料の適正化なしには、長期に渡ってその断熱性能を維持するのは困難である。
【００１９】
本発明は、上記従来の課題を解決するもので、気体吸着材を、大気中で長時間保存可能な気体吸着デバイスにすることで、初期断熱性能、経時断熱性能ともに優れた真空断熱材を提供すること、また、断熱性能に優れた真空断熱材を適用することで断熱性能に優れた建築部材を提供することを目的とする。
【課題を解決するための手段】
【００２０】
上記目的を達成するために、本発明の真空断熱材は、少なくとも、複数の芯材と、片面に熱溶着層を有するガスバリア性の外被材と、吸着材とを有し、前記熱溶着層同士が対向する前記外被材の間に前記芯材が２つ以上の独立した真空空間内に位置するように減圧密封され、かつ、前記吸着材が、一箇所以上の芯材部分に配置された真空断熱材であって、前記吸着材が、気体吸着材と、水分吸着材と、気体難透過性素材からなる容器とからなり、前記容器は内部が通気性を制御可能な仕切りにより少なくとも２つ以上の空間に仕切られており、前記気体吸着材と前記水分吸着材はそれぞれ前記容器の異なる空間に収容されているのである。
【００２１】
気体吸着材と水分吸着材は、気体難透過性容器内に収容されているため、高活性であっても大気中に長時間保存することが可能であり、製造中に気体や水分を吸着することによる気体吸着材の劣化を抑制でき、気体吸着材が有する特性を十分に発揮できる。このため、真空断熱材の経時断熱性能がより向上し、建築部材に真空断熱材を適用した場合にも、経時断熱性能が向上する。
【００２２】
気体吸着材は、水分に対しても高活性であるため、水分を吸着すると失活してしまい、特性を十分に発揮できなくなる。そこで、水分吸着材で水分を吸着し、その後乾燥した気体成分を気体吸着材が吸着する構成とすれば、気体吸着材の水分による失活が抑制でき、気体吸着材が有する特性を十分に発揮することが可能になる。このため、真空断熱材の経時断熱性能の向上が図れ、建築部材として使用した場合にも、長期に渡って高い省エネ効果が図れる。
【００２３】
気体吸着材と水分吸着材は複数の空間に並列的に収容することにより、気体吸着デバイスの厚さは、これらの吸着材の一方の厚さにほぼ等しくなる。このため、真空断熱材の薄肉化が図れ、建築部材として適用した場合においても、薄く、高性能の建築部材を得ることができる。
【発明の効果】
【００２４】
本発明の真空断熱材は、吸着材をデバイス化した気体吸着デバイスが、気体吸着材が有する特性を十分に発揮できる構成であるため、長期に渡って真空断熱材の断熱性能を維持することができ、建築部材として使用した場合にも経時断熱性能に優れるため、長期に渡って高い省エネ効果を得ることができる。
【発明を実施するための最良の形態】
【００２５】
請求項１に記載の発明は、少なくとも、複数の芯材と、片面に熱溶着層を有するガスバリア性の外被材と、吸着材とを有し、前記熱溶着層同士が対向する前記外被材の間に前記芯材が２つ以上の独立した真空空間内に位置するように減圧密封され、かつ、前記吸着材が、一箇所以上の芯材部分に配置された真空断熱材であって、前記吸着材が、気体中に含まれる非凝縮性気体を吸着できる気体吸着材と、水分吸着材と、気体難透過性素材からなる容器とからなり、前記容器は内部が通気性を制御可能な仕切りにより少なくとも２つ以上の空間に仕切られており、前記気体吸着材と前記水分吸着材はそれぞれ前記容器の異なる空間に収容されていることを特徴とする。
【００２６】
一般に、気体吸着材は水分を吸着し易い性質を有しているため、気体吸着デバイスの周辺の気体が水分を含む場合は、水分を吸着することにより、気体の吸着容量が低減してしまう。
【００２７】
このような場合、気体吸着デバイスに収容する気体吸着材を増量することにより、必要な空気吸着量を得ることは可能であるが、一般に、気体吸着材は水分吸着材に比較して高価であり、水分吸着材で吸着が可能な水分を空気吸着材で吸着することは、コストの観点から得策ではない。よって、水分を水分吸着材で吸着し、気体を気体吸着材で吸着させることが望ましい。
【００２８】
しかしながら、気体吸着材は水分吸着材に比較して水分を吸着する速度が大きいため、水分吸着材と気体吸着材を混在させる構成であると、気体吸着材の方が水分を吸着し、その分気体吸着能力を十分に発揮できなくなる。すなわち、吸着材を収容する容器と、容器内の吸着材の配置を適正化することが必要である。
【００２９】
まず、気体吸着デバイスの構成を、気体吸着材と水分吸着材をそれぞれ独立した空間に収容し、独立した両者の空間の間に適切な通気性を確保した構成とする。さらに、気体吸着デバイス外の気体が、水分吸着材を収容した空間を通り、その後、気体吸着材を収容した空間へ到達するような構成とする。これによって、水分吸着材が水分を吸着するため、気体吸着材を収容した空間に到達する気体は水分が少ない気体となり、気体吸着材が有する特性を十分に発揮できる。
【００３０】
なお、仕切りの通気性が大きすぎる場合は、水分吸着材が水分を吸着しきれず、空気吸着材に水分が到達し、水分吸着材が劣化してしまう。逆に、気体吸着材を収容する空間と水分吸着材を収容する空間の仕切りの通気性が小さすぎる場合は、気体吸着材に気体が到達せず、気体吸着材の吸着特性を発揮することが困難になる。よって、仕切りの通気性が重要となる。仕切りの通気性は、気体透過度、断面積、長さに依存するものであり、これを適正化することにより、上記機構を達成する。
【００３１】
また、気体吸着材と水分吸着材の両空間を並列化することによって、気体吸着デバイスの最大厚さは、気体吸着材または水分吸着材の最大厚さに依存することとなるため、気体吸着デバイスの薄肉化が可能となる。しいては、アプリケーションの薄型化が可能となる。
【００３２】
また、本発明で用いる気体吸着デバイス（吸着材）は、薄肉化が図れるとともに形状自由度が高いことから、真空断熱材特有の薄型で高断熱性能という特徴を生かすことができ、かつ形状自由度を阻害することがないため、建築部材としても薄肉化が図れるとともに施工性が向上する。
【００３３】
使用する気体吸着材が高活性であるほど、また、比表面積が大きくなるほど取り扱いの条件が厳しくなる。つまり、気体吸着材の活性を維持するために、空気に接触可能な時間が短くなり、また、接触可能な圧力も小さくなる。これらの要求は、気体吸着材を、気体難透過性素材からなる容器に収容することで達成される。
【００３４】
ここで、容器とは、例えば、球殻のように空間を内外に分断するものであり、気体難透過性素材とは、ガス透過度が１０４［ｃｍ３／（ｍ２・ｄａｙ・ａｔｍ）］以下の素材であり、より望ましくは１０３［ｃｍ３／（ｍ２・ｄａｙ・ａｔｍ）］以下となるものである。
【００３５】
また、このような気体吸着材は、保存時に加えて、アプリケーションに適用する際の劣化も問題となる。真空断熱材を例にとり、説明する。
【００３６】
真空断熱材は、気体難透過性の外被材中に芯材と気体吸着材を挿入したものをチャンバーに設置後、チャンバーを減圧し、外被材内部を減圧後、外被材の開口部を封止して作製する。
【００３７】
この際、チャンバー内の減圧は真空ポンプにて行われる。常圧領域、つまり真空封止前ではポンプ、吸着材いずれによっても減圧することが可能である。
【００３８】
一方、低圧領域、つまり真空封止後の外被材内部には、真空ポンプで減圧しきれなかった気体、真空封止後に外被材を通して侵入する気体、芯材から発生する気体が存在し、これらは気体吸着材のみで吸着が可能である。
【００３９】
従って、真空封止後の外被材内部において気体吸着材の能力を十分に発揮するためには、真空封止後に外部に連通することが必要である。
【００４０】
ここで、連通とは、気体吸着デバイスの容器に貫通孔が生じることにより、容器内部の空間と、容器外部の空間に気体の通過が可能になることを指す。
【００４１】
さらに、真空断熱材の封止後に連通を行うため、気体吸着デバイス内に、気体吸着材で吸着困難な気体が存在すると、その気体が真空断熱材の内圧を上昇させ、断熱性能を悪化させる原因となるため、気体吸着デバイス内部は予め真空にしておく必要がある。その圧力は１００Ｐａ以下が望ましい。
【００４２】
また、真空断熱材など、軟包材で覆われた真空機器に気体吸着デバイスを用いた場合、大気圧が気体吸着デバイスに加わる。このとき、気体吸着デバイスの容器が軟包材の場合、両空間をつなぐ仕切り部分に大気圧が加わることで、気体の透過性が小さくなるため、大気圧に抗して空間の断面積を維持するためのスペーサーが必要となる。
【００４３】
そこで、仕切りとして連続多孔体を用いる。これにより、連続多孔体のバルク部はスペーサーとして、空隙部は気体が通過する仕切りとして作用するため、これらの条件を満足することができる。
【００４４】
本発明において、仕切りとは、空間と空間の間の通気性を制御するものであり、管状の部材、連続気泡の多孔体、不織布、紙等があるが、大気圧に抗して空隙の体積を維持でき、空隙が連通しているものであれば、特に指定するものではない。
【００４５】
ここで、不織布や紙を使用すると、適切な素材、製法を選択することにより圧力が加わった際の圧縮率を制御することができる。よって、大気圧下でも気体吸着デバイスの空間をつなぐ仕切りの空隙を適切に保持することができる。従って、より活性が高い空気吸着材を用いた場合でも、吸着特性を十分に発揮しつつ、水分による劣化を抑制することができる。
【００４６】
さらに、不織布や紙は折り曲げる力に対する形状自由度が大きいため、気体吸着デバイスの容器が軟包材であれば、気体吸着デバイスの折り曲げ自由度も大きくなり、より汎用的な用途に用いることが可能になる。
【００４７】
なお、軟包材とは外力により容易に変形し、収容されている部材の形状に追従するものであり、プラスチックラミネートフィルム等がこれに相当する。プラスチックラミネートフィルムは軟包材であり、折り曲げ力に対する形状自由度が大きい。従って、プラスチックラミネートフィルムを容器として用いることにより、気体吸着デバイスの折り曲げ力に対する形状自由度が大きくなる。さらに、アルミ箔をラミネートすることにより、優れたバリア性を得ることができ、気体吸着材を長期間保存することが可能となる。
【００４８】
また、真空断熱材そのものの構成においては、真空断熱材の大きさが同じ場合、複数の芯材で構成すると、一つの芯材部分の容積が小さくなるため、少しのガス侵入により内圧が上昇しやすくなってしまう。
【００４９】
しかし、本発明における吸着材は気体吸着材の特性を十分に発揮できる構成であるため、経時的な内圧上昇を抑制、真空断熱材の経時断熱性能を確保し、建材としての経時断熱性能を確保する。
【００５０】
なお、本発明における芯材および真空断熱材の形状は、断熱を必要とする箇所に応じて三角形、四角形、多角形、円形、Ｌ型あるいはそれらの組み合わせからなる任意形状が使用できる。
【００５１】
また、真空断熱材の作製において、独立した空間の形成方法は、減圧下において芯材のある部分を含めて外被材を加熱加圧して溶着する方法や、減圧下において外被材の外周部のみを熱溶着して芯材を減圧密封した後に大気圧によって押圧されている熱溶着層同士を高温雰囲気において熱溶着層の融点まで加熱して溶着する方法など特に指定するものではない。
【００５２】
本発明における芯材とは、大気圧による圧縮から真空断熱材の形状を保持するものであり、高い空隙率を有するものであれば、繊維、粉末、発泡樹脂、多孔質体、薄膜積層体等、特に指定するものではない。
【００５３】
例えば、繊維系では、グラスウール、グラスファイバー、アルミナ繊維、シリカアルミナ繊維、シリカ繊維、ロックウール、炭化ケイ素繊維等、粉末系では、シリカ、パーライト、カーボンブラック、発泡樹脂ではウレタンフォーム、フェノールフォーム、スチレンフォーム等がある。また、これらの混合体や成形体を使用することも可能である。
【００５４】
本発明における外被材とは、真空断熱材内部の空間と外部の空間とを遮断するものであり、バリア性を有するラミネートフィルムが使用でき、その構成は特に指定するものではない。
【００５５】
最内層の熱溶着層には、低密度ポリエチレン、直鎖状低密度ポリエチレン、高密度ポリエチレン、無延伸ポリプロピレン、ポリアクリロニトリル、無延伸ポリエチレンテレフタレート、無延伸ナイロン、無延伸エチレン−ポリビニルアルコール共重合体樹脂等が使用可能であり、特に指定するものではない。
【００５６】
また、外部からのガス侵入を抑制するために、金属箔や、蒸着フィルム、コーティングフィルム等が使用可能である。その種類や積層数は特に指定するものではない。金属箔は、アルミニウム、ステンレス、鉄やその混合物など、特に指定するものではない。また、蒸着やコーティングの基材となるプラスチックフィルムの材料は、ポリエチレンテレフタレート、エチレン−ポリビニルアルコール共重合体樹脂、ポリエチレンナフタレート、ナイロン、ポリプロピレン、ポリアミド、ポリイミドなど特に指定するものではない。また、蒸着の材料としては、アルミニウム、コバルト、ニッケル、亜鉛、銅、銀、シリカ、アルミナ、ダイヤモンドライクカーボンやそれらの混合物など、特に指定するものではない。また、コーティングの材料としては、ＰＶＡ、ポリアクリル酸系樹脂やその混合物など特に指定するものではない。
【００５７】
また、耐ピンホール性や耐摩耗性の向上、難燃性の付与、さらなるバリア性の向上などを目的としてさらに外層や中間層にフィルムを設けることも可能である。
【００５８】
ここで、外層や中間層に設けるフィルムは、ナイロン、エチレン・４フッ化エチレン共重合体樹脂、ポリエチレンテレフタレート、ポリエチレンナフタレート、ポリプロピレン、エチレン−ポリビニルアルコール共重合体樹脂など、その種類や積層数は、特に指定するものではない。
【００５９】
本発明における水分吸着材とは、気体中に含まれる水分を吸着するものであり、活性炭、シリカゲル、酸化カルシウム等があるが、特に指定するものではない。
【００６０】
本発明における気体吸着材とは、気体中に含まれる非凝縮性気体を吸着するものであり、アルカリ金属やアルカリ土類金属の酸化物や、アルカリ金属やアルカリ土類金属の水酸化物等、例えば、酸化リチウム、水酸化リチウム、酸化バリウム、水酸化バリウム等があるが、特に指定するものではない。
【００６１】
ここで、水分吸着材の形状は顆粒状、ペレット状等、特に指定するものではないが、粉末状であることが望ましい。
【００６２】
水分吸着材が粉末状であると、単位重量あたりの表面積が大きくなるため、周囲の水分をより早く吸着することが可能になる。従って、気体吸着材と水分吸着材を収容する空間をつなぐ仕切りの設計が容易になる。
【００６３】
これは、次に示す理由による。水分吸着材による水分の吸着漏れを少なくするため気体吸着材が収容された空間と水分吸着材が収容された空間をつなぐ仕切りの通気性は、ある値より小さくなければならない。
【００６４】
これは、水分を含む気体が、水分吸着材を収容した空間に留まる時間を確保するためであり、この時間は、水分吸着材が水分を吸着する速度が大きいほど短くすることが可能である。これは、気体吸着材が収容された空間と水分吸着材が収容された空間をつなぐ仕切りの通気性を大きくすることができることを意味する。
【００６５】
従って、気体吸着デバイス外の気体を単位時間当たりにより多く吸着することができ、気体の吸着速度を速める必要がある用途に用いることができる。
【００６６】
ここで、粉末状とは、平均粒子径が５０μｍ以下のものであり、望ましくは平均粒子径が１０μｍ以下のものである。
【００６７】
請求項２に記載の発明は、請求項１に記載の発明において、前記吸着材が、少なくとも前記外被材の外周部に隣接した芯材部分に配置されたことを特徴とする。
【００６８】
金属箔などの使用により外被材のラミネート面のバリア性を強化しても、外被材の端部はガス透過度の高い熱溶着層が露出しているため、外被材端部に隣接した芯材部分ほど真空度が悪化しやすくなり、断熱性能が悪化しやすい。
【００６９】
そこで、この部分に空気吸着材を適用することによって、端部からの侵入ガスを効率的に吸着し、断熱性能の悪化を抑制する。
【００７０】
また、このように吸着材を配置すると、外被材端部に隣接しない芯材部分においても、端部に隣接する芯材部分で侵入ガスが吸着されるために、ガスが一層侵入しにくくなることで内圧変化が生じにくくなる。
【００７１】
なお、吸着材は、よりガスが侵入しやすい部分である２辺以上の端部と隣接する芯材部分に配置することがより望ましい。
【００７２】
また、吸着材を外周部に隣接した芯材部分以外に配置してもよい。全ての芯材部分に配置されていると、建物への適用時などに一部の芯材部分に釘打ちを行っても、その部分からの侵入ガスを、隣接する芯材部に配置された吸着材によって吸着することができる。
【００７３】
この場合、侵入ガスの量は隣接しない芯材部分に比べて、隣接する芯材部分のほうが多い。よって、侵入ガス量にあわせて吸着材の使用量を変更することが可能である。
【００７４】
なお、外周部に隣接した芯材部分の中でも、よりガスが侵入しやすい部分である２辺以上の端部と隣接する芯材部分への使用量を多くすることがより望ましい。吸着材の使用量が、外被材の外周部に隣接した芯材部分のほうが、隣接しない芯材部分よりも多いことによって、使用量を抑制できるために、低コスト化になる。
【００７５】
また、あらかじめ釘打ちする部位がわかっている場合には、釘打ち部に隣接する部分に隣接した芯材部分に配置してもよい。
【００７６】
請求項３に記載の発明は、請求項１または２に記載の発明において、前記気体吸着材が、銅イオン交換されたＺＳＭ−５型ゼオライトからなることを特徴とする。
【００７７】
銅イオン交換されたＺＳＭ−５型ゼオライトは、高い気体吸着能力を有するため、経時断熱性能を少ない使用量で維持できる。
【００７８】
銅イオン交換されたＺＳＭ−５型ゼオライトは、気体と水分のいずれに対しても非常に高活性である。このため水分吸着材で水分を吸着しきった気体を気体吸着材に到達させることが必要である。
【００７９】
気体吸着材と水分吸着材を収容する空間をつなぐ仕切りの通気性を適正化することにより、気体が水分吸着材付近に留まる時間を長くすることで、水分を含む量が少ない気体が気体吸着材に到達することが達成される。
【００８０】
銅イオン交換されたＺＳＭ−５型ゼオライトは、窒素吸着に対する活性が高いことで知られており、おそらくは、細孔径と窒素の分子径の相対関係に起因する形状選択性、および、その三次元構造の特異性によると考える。さらに、窒素以外の気体種、すなわち、酸素、水分、一酸化炭素、二酸化炭素、水素などへの吸着活性をも有している。
【００８１】
銅イオン交換されたＺＳＭ−５型ゼオライトの作製は、市販されているＺＳＭ−５型ゼオライトの銅イオン交換と、水洗と、乾燥、熱処理のプロセスを経て行う。
【００８２】
銅イオン交換は、既知の方法にて行うことができるが、塩化銅水溶液やアンミン酸銅水溶液など銅の可溶性塩の水溶液に浸漬する方法が一般的であり、中でもプロピオン酸銅（ＩＩ）や酢酸銅（ＩＩ）などカルボキシラトを含むＣｕ２＋溶液を用いた方法で調整されたものは、窒素吸着活性が高い。
【００８３】
水洗は、イオン交換後に十分に行う。次いで、加熱乾燥または減圧下乾燥を行い、表面付着水を除去する。その後、低圧下にて適切な熱処理を行う。これは、イオン交換により導入されたＣｕ２＋をＣｕ＋へと還元し、窒素吸着能を発現させるために必要である。熱処理時の圧力は、１０ｍＰａ以下、好ましくは１ｍＰａ以下であり、温度はＣｕ＋への還元を進行させるため、３００℃以上、好ましくは５００℃〜６００℃程度である。
【００８４】
以上のプロセスを経ることにより、窒素、水分、酸素、一酸化炭素、二酸化炭素、水素などの気体吸着活性を発現する。
【００８５】
銅イオン交換されたＺＳＭ−５型ゼオライトにおいては、銅がまずＣｕ２＋としてイオン交換される。次いで、低圧下にて適切な熱処理を行うことによりＣｕ２＋はＣｕ＋へ還元され、気体吸着活性を発揮するものである。
【００８６】
よって、ＺＳＭ−５型ゼオライトのシリカ対アルミナ比に関しては、シリカ対アルミナ比が低い場合、すなわち−１価のアルミニウムが多数存在する場合、銅はＣｕ２＋の方が安定となり、熱処理によってＣｕ＋へ還元されるサイトが低減するため、窒素吸着活性もまた低減する。
【００８７】
一方、シリカ対アルミナ比が大きい場合、すなわち−１価のアルミニウムが少ない場合、イオン交換により導入される銅が少なく、よってＣｕ＋サイトが少なくなるため、これもまた窒素吸着活性が低減する。よって、窒素吸着活性を発現するためには、シリカ対アルミナ比が適正な範囲であることが望ましく、８以上２５以下の範囲が望ましい。
【００８８】
また、銅イオン交換されたＺＳＭ−５型ゼオライトは有害性情報がなく、環境負荷も低いと考える。
【００８９】
請求項４に記載の発明は、請求項１から３のいずれか一項に記載の発明において、前記芯材が、繊維の配向方向が伝熱方向に対して垂直なガラス繊維の集合体をボード状に成形した成形体であることを特徴とする。
【００９０】
ガラス繊維が伝熱方向に垂直に配向していることにより、繊維による伝熱が抑制されることで、配向方向がランダムな場合に比べて断熱性能が高くなる。また、ガラス繊維集合体を加熱プレスなどによって成形すると、繊維が延伸する効果も期待できるため、ガラス繊維の積層配列が改善されるために、より断熱性能が向上する。よって、建築部材に使用する際には、優れた断熱性能を発現する。
【００９１】
さらに、芯材が成形体であると、製造時の取り扱い性や真空断熱材の表面性・寸法精度が向上する。真空断熱材の表面性や寸法精度が向上することによって、建材としても設計しやすくなる。
【００９２】
一般に繊維系芯材を使用すると、初期断熱性能には優れるものの、長期に渡って使用する場合においては、空隙径が大きいために、断熱性能が内圧変化の影響を受けやすく、断熱性能の悪化が大きくなってしまうという問題がある。そこで、気体吸着材で侵入ガスを吸着することによって内圧変化を少なくし、断熱性能の悪化を抑制する。
【００９３】
なお、このときの成形体の密度は特に指定するものではないが、成形体としての形状を維持できるという観点から１００ｋｇ／ｍ３以上、良好な断熱性能が得られるという観点から３００ｋｇ／ｍ３以下の範囲が望ましい。
【００９４】
また、使用するガラス繊維は特に指定するものではないが、ガラス状態になり得るガラス形成酸化物が望ましく、熱変形温度が低く、厚み方向に積層配列されたものが望ましく、汎用的な工業製品としてはグラスウールが安価、かつ取り扱い性の観点からもより望ましい。
【００９５】
また、繊維径は、特に指定するものではないが、繊維径が微細なものほど優れた断熱性能が得られるため、１０μｍ以下がより望ましい。
【００９６】
請求項５に記載の発明は、請求項１から４のいずれか一項に記載の発明において、前記吸着材が、遠隔操作により、水分吸着材が収容されている空間を形成している容器を開封する開封手段を備えたものである。
【００９７】
高活性の気体吸着材の劣化を少なくするため、気体吸着デバイスは、真空断熱材封止後に開封することが望ましいが、真空断熱材は、外被材により内部空間と外部とが隔絶された構成である。このため、外部から直接的に気体吸着デバイスを開封するのは困難である。従って、気体吸着デバイスは遠隔操作により気体の吸着が可能になることが望ましい。
【００９８】
遠隔操作の方法としては、例えば気体吸着デバイス容器と真空断熱材の両方が軟包材の場合は、真空断熱材に予め突起物を内包しておき、減圧後に加わる大気圧により気体吸着デバイスの容器に押し付けられることで開封する方法、大気圧以上の力が必要な場合にはプレスする方法等があるが、真空断熱材封止後に遠隔操作によって開封する方法であれば、特に指定するものではない。
【００９９】
請求項６に記載の発明は、請求項１から５のいずれか一項に記載の真空断熱材を適用した建築部材である。
【０１００】
気体吸着材を上記のような気体吸着デバイスとすることによって、製造時や真空断熱材適用時に、水分による失活を低減させることが可能であるため、気体吸着材の能力を十分に発揮することができる。すなわち、建築部材に適用した場合においても、長期に渡って省エネ効果が維持できる。
【０１０１】
なお、本発明における建築部材とは、建物等の断熱を目的として、壁面、床面、屋根等に取り付け可能な部材であり、少なくとも真空断熱材を適用したものであればよく、真空断熱材そのものであっても、真空断熱材と断熱材との組み合わせ、真空断熱材と他の材料との組み合わせであってもよい。
【０１０２】
組合せる材料としては、例えば、スチレンフォーム、ウレタンフォーム、フェノールフォーム、グラスウール、セッコウ等が考えられるが、特に指定するものではない。なお、真空断熱材そのものの場合には、芯材部分とそれ以外の部分の違いが目視で判別しやすいため、真空ブレークを起こさないように釘打ちを行うことが容易である。
【０１０３】
また、この場合、複数の芯材を有する真空断熱材であると、施工においても、一枚の芯材を有する真空断熱材を複数枚貼り付けるのに比べて、作業の効率が向上する。また、他の材料と組合せる場合には、真空断熱材が露出しない構成とすると、傷つきや突刺しによる真空ブレークのリスクが減るため、建物への施工時に取り扱いが非常に容易になる。
【０１０４】
また、気体吸着デバイスの薄肉化が図れることから、真空断熱材特有の薄型で高断熱性能という特徴を生かすことができるため、建築部材としても薄肉化が図れる。
【０１０５】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【０１０６】
（実施の形態１）
図１は、本発明の実施の形態１における真空断熱材の平面図である。図１において、真空断熱材１は、複数の芯材２と、片面に熱溶着層を有するガスバリア性の外被材３と、吸着材４とを有し、熱溶着層同士が対向する外被材３の間に芯材２が２つ以上の独立した真空空間内に位置するように減圧密封され、かつ、吸着材４が、一箇所の芯材部分に配置されたものである。
【０１０７】
まず、真空断熱材１の構成について説明する。真空断熱材１は、芯材２がそれぞれ所定の間隔で配置され、また、吸着材４は所定の芯材２部分に配置され、外被材３により減圧密封されている。また、芯材２はそれぞれが独立した真空空間内に位置するように芯材２の周囲には熱溶着部５が設けられている。
【０１０８】
なお、吸着材４は、外被材の外周に隣接した芯材部分２ａへの釘打ちを想定して、外被材の外周に隣接しない芯材部分２ｂに配置した。
【０１０９】
また、図２は、本発明の実施の形態１における真空断熱材に使用した吸着材の断面図である。吸着材４は、気体吸着デバイスとして、真空断熱材１内に配置されており、気体難透過性の容器６内に、気体吸着材７と水分吸着材８を有し、気体吸着材７と水分吸着材８は、仕切り９により別々の真空空間に収容される構造となっている。さらに、容器６の水分吸着材８が収容された空間の表面には、突起物１０が取り付けられており、真空断熱材１の封止後に、容器６に貫通孔が生じることで、水分吸着材８が配置された空間と真空断熱材１内部の空間が練通可能になっている。
【０１１０】
本実施の形態の吸着材（気体吸着デバイス）は、気体吸着材７と、水分吸着材８と、例えば、アルミ箔を含むプラスチックラミネートフィルム（気体難透過性素材）からなる軟包材で構成された容器６とからなり、容器６は内部が通気性を調節可能な、例えば不織布からなる仕切り９により２つの空間に仕切られており、気体吸着材７と水分吸着材８はそれぞれ容器６の異なる空間に収容されている。なお、仕切り９により仕切られた２つの空間が、気体吸着材７または水分吸着材８を収容する空間の厚み方向に対して略垂直な方向に並んでいる。また、遠隔操作により、水分吸着材８が収容されている空間を形成している容器６を開封する突起（開封手段）１０が、水分吸着材８が収容されている空間を形成している容器６に接触している。
【０１１１】
突起物（開封手段）１０は、例えば、プラスチック成型品からなり、一方の面が凸で他方の面が凹で、凸の面を押す外力が加わっていない状態で凹の面の凹んだ部分に凹みの深さと同じ高さか若干低い高さの突起部を有し、凸の面を押す外力が加わると突起物（開封手段）１０の凹凸が小さくなり突起部の高さが凹みの深さより高くなるように変形可能に構成され、突起部のある凹の面側に水分吸着材８が収容されている空間を形成している容器６が配置され、大気圧程度の力で凸の面が押されると、突起物（開封手段）１０の突起部が、水分吸着材８が収容されている空間を形成している容器６に接触して、やがて水分吸着材８が収容されている空間を形成している容器６を貫通するように構成している。
【０１１２】
なお、気体吸着材７は、気体難透過性素材からなる容器６内部に真空封止されているため、気体吸着デバイスを長時間大気中に放置しても、気体吸着材７は気体に触れないため、失活が抑制可能であり、長時間大気中で保存することができる。同様の理由で、製造時の失活も抑制できる。
【０１１３】
次に、真空断熱材１の作製方法について説明する。まず、外被材３の熱溶着層を上に向け、複数の芯材２（外被材３の外周に隣接した芯材２ａと、外被材３の外周に隣接しない芯材２ｂ）と、外被材３の端部に隣接しない芯材２ｂ部分に吸着材４を配置する。次に、これを熱溶着層同士が対向するようにもう１枚の外被材３で覆う。さらにこれを減圧下で外被材３の外周部分を溶着し、大気圧下で高温環境に置くなどの方法により芯材２間を溶着し、熱溶着部５を設ける。
【０１１４】
なお、芯材２ｂ部分に吸着材４を配置する時は、一方の表面部分に気体吸着デバイス１を突起物（開封手段）１０が露出する程度に内部に埋め込んだ状態の芯材２ｂを、突起物（開封手段）１０の凸の面が外被材３に接触し、突起物（開封手段）１０の突起部のある凹の面が水分吸着材８の収容されている空間を形成している容器６に接触するようにする。
【０１１５】
気体吸着デバイスの真空断熱材内部での開封は、次のように行われる。
【０１１６】
真空断熱材１の外被材３はプラスチックラミネートフィルムであるため、真空封止後に加わる大気圧により変形し、気体吸着デバイスに圧縮力を加える。この結果、突起物１０は軟包材からなる容器６に突き刺し力を加えるため、容器６には貫通孔が生じて外被材３中の気体が吸着可能になる。
【０１１７】
この貫通孔により、真空断熱材１内の気体は、まず水分吸着材８を収容した空間に侵入する。ここで気体は、水分吸着材８により水分が除去される。次に、水分が少なくなった気体は、仕切り９を通過して、気体吸着材７を収容した空間に移動する。従って、気体吸着材７はその吸着能力の大部分を気体の吸着に発揮できるため、効率的に気体を吸着する。
【０１１８】
また、突起物１０により生じた貫通孔の通気性は、仕切り９の通気性に比較して大きくされているため、水分吸着材８を収容した空間に侵入した気体は内部で淀むことになる。この間に気体に含まれる水分は、水分吸着材８により除去されるため、仕切り９を経て気体吸着材７に到達する気体は水分を含む量が非常に低減されている。
【０１１９】
従って、気体吸着材７はその吸着能力の大部分を気体の吸着に発揮できるため効率的に気体を吸着することができる。
【０１２０】
吸着材４を、上記構成の気体吸着デバイスとしたことによって、気体吸着材７の有する特性を十分に発揮できるために、真空断熱材１の経時的な断熱性能の変化が抑制できた。
【０１２１】
なお、図３は、本実施の形態における芯材の配置を変更した真空断熱材の平面図である。図１同様に、外周に隣接した芯材２ａ部分への釘打ちを想定したものであるが、芯材の数に応じて吸着材を複数配置してもよい。また、このときの配置箇所は特に指定するものではなく、図３のように釘打ちする芯材部に隣接した芯材部分のみでもよく、全体でもよく、釘打ちなどを行う芯材部分には配置しなくてもよく、必要に応じて配置できる。また、あらかじめ釘打ちする場所がわかっている場合は、その周囲の芯材部分に配置することが望ましい。
【０１２２】
（実施の形態２）
図４は、本発明の実施の形態２における真空断熱材の平面図である。図４において、真空断熱材１１は、複数の芯材１２と、ガスバリア性の外被材１３と、吸着材１４とから構成されている。
【０１２３】
まず、真空断熱材１１の構成について説明する。真空断熱材１１は、芯材１２がそれぞれ所定の間隔で碁盤目状に配置され、また、吸着材１４は所定の芯材１２部分に配置され、外被材１３により減圧密封されている。また、芯材１２はそれぞれが独立した真空空間内に位置するように芯材１２の周囲には熱溶着部１５が設けられている。なお、吸着材１４は、外被材１３端部からの侵入ガスの吸着を狙って、外被材１３の外周部に隣接した芯材１２ａ部分に配置されている。
【０１２４】
吸着材１４の構成および機構は、実施の形態１と同様であるため、説明を省略する。
【０１２５】
また、真空断熱材１１の作製方法も、実施の形態１の真空断熱材１と同様であるため、説明を省略する。
【０１２６】
吸着材１４を、気体吸着デバイスとしたことによって、気体吸着材の有する特性を十分に発揮できるために、真空断熱材１１の経時的な断熱性能の変化が抑制できた。
【０１２７】
なお、外被材１３の外周部に隣接した２０個の芯材１２ａの空間には、大気圧と芯材１２ａ部分の圧力の差に応じて空気や水蒸気などのガスが侵入するが、吸着材１４が、侵入ガスを吸着することで内圧変化が抑制される。
【０１２８】
また、外被材１３の外周部に隣接しない１６個の芯材１２ｂは、芯材１２ａ部分に配置した吸着材１３が端部からのガスを効率的に吸着することと、外被材１３の外周部に隣接した芯材１２ａとは熱溶着部１５を介して別の独立空間にあることにより、外被材１３の外周部に隣接した芯材１２ａよりも断熱性能の悪化が抑制される。よって、真空断熱材全体の断熱性能を長期に渡って維持することができる。
【０１２９】
なお、吸着材の配置箇所は外被材の外周部に隣接した芯材１２ａ部分のみに限定するものではなく、あらかじめ釘打ちする場所がわかっている場合は、その周囲の芯材部分にも吸着材を配置することがより望ましい。
【０１３０】
（実施の形態３）
図５は、本発明の実施の形態３における真空断熱材を適用した建物の断面図である。
【０１３１】
本発明の実施の形態３における建物１６には、外壁１７と内壁１８との間や、床板１９に接する床下や、屋根材２０に接した屋根裏に、実施の形態２の真空断熱材を適用した建築部材２１が配置されている。このように構成された建物１６は、優れた断熱性能を有する建築部材２１を適用したことにより、優れた保温、および、省エネルギー効果を示した。また、断熱性能の変動が少なかったため、長期に渡って省エネ効果が維持できた。
【０１３２】
なお本実施の形態では実施の形態２の真空断熱材を使用したが、実施の形態１の真空断熱材でも優れた省エネ効果が得られる。
【実施例】
【０１３３】
実施の形態２の真空断熱材において、吸着材の仕様を種々変更して、経時断熱性能を比較した。
【０１３４】
（実施例１）
芯材として繊維の配向方向が伝熱方向に対して垂直なガラス繊維の集合体をボード状に成形した成形体を、気体吸着材としてＺＳＭ−５型ゼオライトを、水分吸着材として水酸化カルシウムを使用した。
【０１３５】
真空断熱材の温度加速試験により５０年後の断熱性能を予測し、さらにこの真空断熱材を建築部材として使用した建物の省エネ効果を予測した。
【０１３６】
芯材として、上記構成の芯材を使用したことによって、非常に高い初期断熱性能０．００２０Ｗ／ｍＫが得られた。経時断熱性能については、一般に繊維系材料は、内部圧力の変化量に対する断熱性能の変化量が大きいため、経時的な断熱性能が悪化しやすいが、本構成の気体吸着材を使用することにより、０．００５０Ｗ／ｍＫまで悪化が抑制され、高い省エネ効果を維持することができると予測した。
【０１３７】
（比較例１）
実施例１において、気体吸着材を適用せず、水分吸着材のみを適用した。
【０１３８】
初期は０．００２０Ｗ／ｍＫと実施例１と同等であったが、経時断熱性能については、０．０２５０Ｗ／ｍＫを超えるまでに悪化してしまい、建築部材として適用した場合にも省エネ効果は維持できないと予測した。水分吸着材では、真空断熱材に侵入する窒素や酸素等の気体を吸着することができないために、経時断熱性能が悪化してしまったと考える。
【０１３９】
（比較例２）
実施例１において、吸着材をデバイス化せずに、気体吸着材と水分吸着材を併用した。
【０１４０】
初期は０．００２０Ｗ／ｍＫと実施例１と同等であったが、経時断熱性能は０．０２００Ｗ／ｍＫまで悪化してしまった。気体吸着材の方が水分吸着材に比べて水分に対する活性が高いために、真空断熱材に侵入する水分を気体吸着材が吸着することによって失活してしまい、気体吸着能力を十分に発揮できなかったと考える。
【産業上の利用可能性】
【０１４１】
以上のように本発明にかかる真空断熱材は、長期に渡って断熱性能を維持できる。このため、非常に長い間断熱性能が要求される建物への使用が可能である。また、建物以外にも電車、自動車等の乗り物等、断熱を必要とする空間を形成する壁面等への適用も可能である。また、冷蔵庫のような保冷機器や、電気湯沸かし器、炊飯器、保温調理器、給湯器等の保温機器に使用すれば長期に渡って優れた省エネ効果を示す。また、省スペースで高い断熱性能が要求されるようなノート型コンピューター、コピー機、プリンター、プロジェクター等の事務機器への適用も可能である。また、コンテナボックスやクーラーボックス等の保冷が必要な用途への適用も可能である。
【図面の簡単な説明】
【０１４２】
【図１】本発明の実施の形態１における真空断熱材の平面図
【図２】同実施の形態の真空断熱材に使用した吸着材の断面図
【図３】同実施の形態の真空断熱材の変形例を示す平面図
【図４】本発明の実施の形態２における真空断熱材の平面図
【図５】本発明の実施の形態３における真空断熱材を適用した建物の断面図
【符号の説明】
【０１４３】
１    真空断熱材
２    芯材
３    外被材
４    吸着材
６    容器
７    気体吸着材
８    水分吸着材
９    仕切り
１０  突起物（開封手段）
１１  真空断熱材
１２  芯材
１３  外被材
１４  吸着材
２１  建築部材
【図１】
0005194812.tif 000002
【図２】
0005194812.tif 000003
【図３】
0005194812.tif 000004
【図４】
0005194812.tif 000005
【図５】
0005194812.tif 000006